(57)【要約】【課題】吊り輪のような対象となるグリップ（以下、対象グリップという）への着脱が容易で、対象グリップの把持部に対して、素手で接触しないように握持することができる携帯用グリップを提供する【解決手段】本発明の携帯用グリップ１は、表面に沿って手のひらと指が接触して握持できる外部表面１１を有し、前記外部表面１１の内側に嵌合スペース１２を有し、前記嵌合スペース１２が、対象グリップ６の把持部ａを着脱自在に嵌合することができる。【選択図】図１
2016060074.tif 000002
【特許請求の範囲】
【請求項１】
表面に沿って手のひらと指が接触して握持できる外部表面を有し、
前記外部表面の内側に嵌合スペースを有し、
前記嵌合スペースが、対象グリップの把持部を着脱自在に嵌合する携帯用グリップ。
【請求項２】
前記対象グリップの把持部が、把持部ａと、前記把持部ａと形態の異なる把持部ｂとを有し、
前記嵌合スペースが、前記嵌合スペースの底部を含む嵌合スペースＡと、前記嵌合スペースＡに連通する嵌合スペースＢとを有し、
前記嵌合スペースＡは、前記把持部ａを着脱自在に嵌合するが、前記把持部ｂを嵌合せず、
前記嵌合スペースＢは、前記把持部ｂを着脱自在に嵌合するが、前記把持部ａを嵌合しないように構成されている請求項１記載の携帯用グリップ。
【請求項３】
前記外部表面の形状が馬の鞍型である請求項１記載の携帯用グリップ。
【発明の詳細な説明】
【技術分野】
【０００１】
本発明は、携帯用グリップに関する。
【背景技術】
【０００２】
電車、バス、船等の乗客輸送体の乗車空間には、多くの場合、乗客の体を支えるための吊り輪が備えられている。
これらの吊り輪は、非特定多数の乗客が素手で接触するため。必ずしも衛生的とはいえない。そのため、乗客の中には、吊り輪を素手で接触することを躊躇う人も多く、特に女性においてその傾向が大きい。【０００３】
特許文献１には、吊り輪洗浄具が開示されている。この吊り輪洗浄具は、筒状のホルダーと、ホルダー内に嵌入され、洗浄殺菌剤や抗菌剤等の薬液が含浸せられた海綿状の洗浄部材とを含み、吊り輪は洗浄部材で圧接状態で抱持されているホルダーに取り付けられ、ホルダーは吊り革に止着されて垂設される。吊り輪を握る者は、吊り輪を廻すことにより吊り輪が圧接している薬液含浸の洗浄部材によって洗浄され、いつも清潔な吊り輪を握ることができる。
【先行技術文献】
【特許文献】
【０００４】
【特許文献１】特開２００２−１２６６７３号公報
【発明の概要】
【発明が解決しようとする課題】
【０００５】
しかし、特許文献１に開示されている吊り輪洗浄具は、吊り輪毎に連結するホルダーに取り付けられているため、乗客にとっては、この吊り輪洗浄具が設置されているホルダーに連結した吊り輪でしか発明の効果を享受できず、この吊り輪洗浄具を全ての吊り輪に設置すると、乗客輸送体の運行業者にとって、設置費用とメンテナンス費用の負担が大きくなるため、普及しているとはいえない。【０００６】
吊り輪を素手で接触することを躊躇う人は、簡易な手段として、ウェットティッシュで吊り輪を拭いたり、手袋をしたりすることがあるが、使用したウェットティッシュの処分が煩雑であり、手袋の着用は季節によっては手が蒸れることがあり快適とはいえない。【０００７】
本発明は、吊り輪のような対象となるグリップ（以下、対象グリップという）の把持部への着脱が容易で、どの対象グリップの把持部に対しても、対象グリップの把持部を素手で接触しないように把持することができる携帯用グリップを提供することを課題とする。
【課題を解決するための手段】
【０００８】
本発明は、表面に沿って手のひらと指が接触して握持できる外部表面を有し、前記外部表面の内側に嵌合スペースを有し、前記嵌合スペースが、対象グリップの把持部を着脱自在に嵌合する携帯用グリップである、
【発明の効果】
【０００９】
本発明によれば、対象グリップの把持部への着脱が容易で、どの対象グリップの把持部に対しても、対象グリップの把持部を素手で接触しないように握持することができる携帯用グリップを提供することができる。
【図面の簡単な説明】
【００１０】
【図１】開放型嵌合スペースを備える携帯用グリップ１を示し、（ａ）は指先接触面側斜視図、（ｂ）は手のひら接触面側斜視図である。
【図２】開放型嵌合スペースを備える複合型携帯用グリップ２を示し、（ａ）は指先接触面側斜視図、（ｂ）は手のひら接触面側斜視図である。
【図３】開放型嵌合スペースとホールド部を備える携帯用グリップ３を示し、（ａ）は指先接触面側斜視図、（ｂ）は手のひら接触面側斜視図である。
【図４】図１の携帯用グリップ１の、（ａ）正面図、（ｂ）背面図、（ｃ）平面図、（ｄ）底面図、（ｅ）左側面図及び（ｆ）右側面図である。
【図５】開放型嵌合スペースを備える複合型携帯用グリップの右側面図である。
【図６】図２の携帯用グリップ２の、（ａ）正面図、（ｂ）背面図、（ｃ）平面図、（ｄ）底面図、（ｅ）左側面図及び（ｆ）右側面図である。
【図７】非開放型嵌合スペースを備える携帯用グリップ４の、（ａ）正面図、（ｂ）背面図、（ｃ）平面図、（ｄ）底面図、（ｅ）左側面図、（ｆ）右側面図及び（ｇ）外殻パーツＳ１及びＳ２が開いている場合の右側面図である。
【図８】非開放型嵌合スペースを備える携帯用グリップ５の、（ｆ）右側面図及び（ｇ）外殻パーツＳ１及びＳ２が開いている場合の右側面図である。
【図９】携帯用グリップ６の（ａ）正面図及び（ｅ）左側面図である。
【図１０】（ａ）は図１の形態用グリップ１の嵌合スペースが、円形のリングである対象グリップの把持部ａを嵌合している状態の斜視図、と、（ｂ）は図２の携帯用グリップ２の嵌合スペースが、三角形のリングである対象グリップの把持部ｂを嵌合している状態の斜視図である。
【発明を実施するための形態】
【００１１】
以下、発明を実施するための形態を、図１〜図１０を適宜参照して説明する。
〔対象グリップ〕
本発明における対象グリップ６、７の把持部（図１０）は、複数の、好ましくは不特定の複数の、とり好ましくは不特定多数の人が素手で握ることが想定されており、例えば、以下が挙げられる。
（例１）電車、バス、船等の乗客輸送体に備えられる吊り輪又は棒状のバー；
（例２）営業用またはレンタル用乗用車のハンドル；
（例３）営業用またはレンタル用バッグ等のレンタル用ケースの把持部；
（例４）エスカレーター用手摺ベルト。
【００１２】
対象グリップ６、７は、例えば、電車内に設置される吊り輪の場合、対象グリップ６、７の把持部ａ，ｂであるリングと、電車内の天井等の車体の構成部分と連結用ベルト８で連結して設置される（図１０）。
【００１３】
吊り輪は、通常、中空のリング状であり、例えば、外形及び中空部分が円形のリング状又は三角形等の多角形のリング状が挙げられる。リング状とは、連続したリングでもよいし、トライアングルのように、全体としてリング状を形成しているが一部途切れていてもよい。以下、リング状の対象グリップの把持部をリングという。
【００１４】
対象グリップ６、７の把持部ａ，ｂの断面は、対象グリップ６、７を素手で握持したときに、少なくとも親指と他の指（好ましくは小指）を除く３本の指、好ましくは、親指を除く４本の指（以下、親指を除く前記３本又は４本の指をまとめて指ともいう）を揃えて、第１関節と第２関節を指の付け根又は手のひらに対抗するように曲げて、握ることができる程度の大きさと形状であることが好ましい。
【００１５】
対象グリップ６、７の把持部ａ，ｂの断面は、円形、楕円形又は四角形等の多角形であることが好ましい。多角形の場合、角が丸く形成されていれもよい。
【００１６】
対象グリップ６、７の把持部ａ，ｂの材質は、対象グリップ６、７の把持部ａ，ｂが手で把持された際に必要な強度と硬さを与えられるという観点から、布、ゴム、プラスチック、金属、ガラス、セラミックス等から目的に応じて選択すればよいが、適度の強度と硬さを設計でき、軽量であることからプラスチックであることが好ましい。
【００１７】
プラスチックである場合、上述の強度と硬さ及び成形性の観点から、
ポリエチレン（ＰＥ）、ポリプロピレン（ＰＰ）、ポリスチレン（ＰＳ）、ポリ塩化ビニル（ＰＶＣ）、ポリ塩化ビニリデン（ＰＶＤＣ）、ポリアミド（ＰＡ）、ポリエチレンテレフタレート（ＰＥＴ）、ポリ乳酸（ＰＬＡ）等の熱可塑性樹脂が好ましく、ポリエチレン（ＰＥ）、ポリプロピレン（ＰＰ）、ポリエチレンテレフタレート（ＰＥＴ）がより好ましく、ポリプロピレン（ＰＰ）が更に好ましい。
【００１８】
〔携帯用グリップ〕
本発明の携帯用グリップ（以下、携帯用グリップという）は、
その表面に沿って手のひらと指が接触して握持できる外部表面を有し、外部表面の内側に嵌合スペースを有し、嵌合スペースは、対象グリップの把持部を着脱自在に嵌合する。
【００１９】
携帯用グリップの好適な態様を、図１〜図１０に示される実施態様を例にして説明する。
携帯用グリップ１は、携帯性の観点から、携帯用グリップ１全体が、一辺の長さがそれぞれＬ、Ｗ、Ｄの直方体領域ＬＷＤに内包される程度の大きさであることが好ましく、この場合、
Ｌが３〜１２ｃｍ、Ｗが２〜１１ｃｍ、Ｄが０．５〜５ｃｍであることが好ましく、
Ｌが５〜１０ｃｍ、Ｗが３〜９ｃｍ、厚みＤが１〜４ｃｍであることがより好ましく、
Ｌが６〜８ｃｍ、Ｗが５〜７ｃｍ、Ｄが１〜３ｃｍであることが更に好ましい。
【００２０】
（Ａ）外部表面
外部表面１１は、その表面に沿って手のひらと指が接触して握持できるように構成される。外部表面１１は、その表面に沿って手のひらと指を接触して握持したときに、手のひらが接触する手のひら接触面１１１、指が曲がった状態で接触する屈曲面１１２及び指先が接触する指先接触面１１３を備え、手のひら接触面１１１から屈曲面１１２を経由して指先接触面１１３に至るまでこれらの面は連続して形成される。
【００２１】
なお、用途又は人の手の大きさによっては、指先接触面が設けられていないか十分に確保されておらず、指の先端又は指の第一関節から指の先端までが、外部表面に接触しない場合があってもよい。
【００２２】
外部表面１１は、別部材で形成された手のひら接触面１１１、屈曲面１１２及び指先接触面１１３を連続して形成されてもよいし、単一材料で、手のひら接触面１１１、屈曲面１１２及び指先接触面１１３を連続した面として形成されてもよい。
【００２３】
外部表面１１に沿って手のひらと指を接触して握持したときに、屈曲面１１２は、手のひら接触面１１１に接触する手のひらの部分と、指先接触面に接触する指先の部分とが、対向する程度に屈曲していることが好ましい。
【００２４】
屈曲面１１２は、曲面を形成して湾曲していてもよいし、多面体を形成して屈曲していてもよいが、外部表面１１を手のひらと指を接触して握持したときに、指に応力が集中しないように曲面を形成して湾曲していることが好ましい。
【００２５】
対象グリップの把持部が円形リングの場合、屈曲面１１２は、例えば、形態用グリップ１（図１）及び３（図３）並びに携帯用グリップ２（図２）の下側の屈曲部に示すように、手のひら接触面に平行な方向の断面形状が凹状曲線で、手のひら接触面に垂直な方向の断面形状が凸状曲線である馬の鞍形に形成されていることが好ましい。
【００２６】
対象グリップの把持部が三角形のリングの場合、対象グリップの把持部は棒状になるので、屈曲面１１２は、例えば、図２の携帯用グリップ２の上側の屈曲部に示すように、手のひら接触面１１１に平行な方向が直線で、手のひら接触面１１１に垂直な方向が凸状曲線の断面形状であるように形成されていることが好ましい。
【００２７】
図２では、携帯用グリップ２の上下の把持部が、同じ側に湾曲して図６（ｅ）のように左側面がＣ字型であるが、上下の把持部が互いに逆の側に湾曲して左側面がＳ字型なっていてもよい。この場合、手のひら接触面が互いに背中合わせになる。
【００２８】
外部表面１１は、少なくとも、手のひら接触面１１１から指先接触面１１３までが最大長ｌ、最大幅ｄの面積を有することが好ましく、携帯用グリップの携帯性の観点から、
ｌが９〜２５ｃｍ、ｄが５〜１２ｃｍであることが好ましく、
ｌが１１〜２０ｃｍ、ｄが６〜１０ｃｍであることがより好ましく、
ｌが１３〜１５ｃｍ、ｄが６〜８ｃｍであることが更に好ましい。
【００２９】
外部表面１１は、手のひら接触面１１１と指先接触面１１３の間に屈曲面１１２を備えるだけでなく、図３の携帯用グリップ３に示すように、手のひら接触面１１１側の端部に屈曲面１１２と対向するようにホールド部１１２ｈを備え、外部表面１１を手のひらと指で握持したときに、親指の付け根近傍をホールド部１１２ｈでホールドできるようにしてもよい。
【００３０】
ホールド部１１２ｈを備えていると、携帯用グリップの嵌合把持部を手のひらと指で握持したときに、外部表面１１と手のひらの接触面積が大きくなるため、手のひらと指による把持が安定し、携帯用グリップを安定して操作性でき、手のひらと指の握持負担を軽減することができる。
【００３１】
（Ｂ）嵌合スペース
嵌合スペース１２は、外部表面１１の内側に構成される。
嵌合スペース１２が、外部表面１１の内側に構成されることで、携帯用グリップ１は、前述した直方体領域ＬＷＤに内包されるようなコンパクトな形態を設計できる。
【００３２】
前記嵌合スペース１２は、対象グリップの把持部を着脱自在に嵌合する。従って、携帯用グリップ１の使用者が、外部表面１１を手のひらと指とで握持して、携帯用グリップ１を外部表面１１の内側に構成される嵌合スペース１２と共に対象グリップの把持部まで移動して、嵌合スペース１２で対象グリップの把持部を嵌合して、対象グリップを素手で握ることなく、携帯用グリップ１を介して把持することができる。
【００３３】
嵌合スペース１２は、対象グリップの把持部を嵌合している場合にも、外部に開放されている携帯用グリップ１〜３におけるような開放型嵌合スペース１２と、対象グリップの把持部を嵌合している場合には外部に対して開放されていない携帯用グリップ４におけるような非開放型嵌合スペース１２が典型例として挙げられる。
【００３４】
（Ｂ−１）開放型嵌合スペース
図１〜３の形態用グリップ１〜３に示すように、携帯用グリップ１は、プレートが屈曲した形状であり外部に向いたプレート面が外部表面１１を形成し、内部に向いたプレート面が開放型嵌合スペース１２を形成している。
【００３５】
開放型嵌合スペース１２は指先接触面１１３の裏面と、手のひら接触面１１１の裏面とが対向している空間に形成され、この空間に対象グリップの把持部が挿入され、屈曲面１１２の裏面（以下、嵌合スペース１２の底部１２ｂという）に接触して嵌合することになる。
【００３６】
外部表面の屈曲面１１２は凸状屈曲になり、嵌合スペースの底部１２ｂの近傍は、屈曲面１１２の裏側であり、凹状屈曲になるので、開放型嵌合スペース１２が対象グリップの把持部を嵌合しいているときは対象グリップの把持部は凹状屈曲した面に接触して嵌合されていることになる。
【００３７】
開放型嵌合スペース１２の対象グリップの把持部を挿入する空間は、開放型嵌合スペース１２が対象グリップの把持部を嵌合している場合でも、外部に開放されており、携帯用グリップを対象グリップの把持部に対して上下するだけで、嵌合の脱着を行うことができる。
【００３８】
開放型嵌合スペース１２の凹状屈曲の面は、曲面を形成して屈曲していてもよいし、多面体を形成して屈曲していてもよいが、対象グリップの把持部が表面に接触したときに、応力が集中し難いように曲面を形成して屈曲していることが好ましい。
【００３９】
屈曲して対向する開放型嵌合スペースの間隙の距離をｘとすると、対象グリップの把持部の表面が凹状屈曲の面に接触するように嵌合するには距離ｘが、開放型嵌合スペース１２の間隙を通過する対象グリップの把持部の断面の最大径と同程度であることが好ましい。
【００４０】
距離ｘを対象グリップの把持部の断面の最大径よりも小さい距離にして、開放型嵌合スペース１２の間隙の距離が弾性的に変位するように開放型嵌合スペース１２を構成する材質、構造を設計し、対象グリップの把持部で開放型嵌合スペース１２がスナップ式に嵌合を着脱できるように構成してもよい。
【００４１】
対象グリップの把持部がリングの場合、開放型嵌合スペース１２をリングに嵌合させる場合、開放型嵌合スペース１２は、リングの表面と接触する形状であることが好ましい。
【００４２】
対象グリップの把持部がリングで、開放型嵌合スペース１２をリングの中空部分側から嵌合する場合、例えば、図１に示すように、開放型嵌合スペース１２は、手のひら接触面１１１の裏面に平行な方向が凹状曲線で、手のひら接触面１１１の裏面に垂直な方向が凸状曲線の断面形状である馬の鞍形に形成されていることが好ましく、開放型嵌合スペース１２の底部がリングの中空部分側の表面と接触できるような凹状曲線の形状であることがより好ましい。
【００４３】
対象グリップの把持部が三角形のリングで、開放型嵌合スペース１２をリングの中空部分側から嵌合する場合、対象グリップの把持部は棒状になるので、例えば、図４に示すように、開放型嵌合スペース１２は、手のひら接触面１１１の裏面に平行な方向が直線で、手のひら接触面１１１の裏面に垂直な方向が凹状曲線の断面形状であるように形成されていることが好ましい。
【００４４】
（Ｂ−２）非開放型嵌合スペース
図７に示す携帯用グリップ４は、外殻Ｓを備え、外殻Ｓの表面に外部表面１１が構成され、外殻Ｓの内部に非開放型嵌合スペース１２が構成されている。従って、携帯用グリップ４は、外部表面１１の内側に非開放型嵌合スペース１２を有している。
【００４５】
この場合も、外部表面１１は、その表面に沿って手のひらと指を接触して握持したときに、手のひらが接触する手のひら接触面１１１、指が曲がった状態で接触する屈曲面１１２及び指先が接触する指先接触面１１３を備え、手のひら接触面１１１から屈曲面１１２を経緯して指先接触面１１３に至るまで、これらの面は連続して形成される。
【００４６】
手のひら接触面１１１は外に向けて膨らみをもっていると、外部表面１１と手のひらの接触面積が大きくなり、外部表面１１の握持が安定して好ましい。
【００４７】
外殻Ｓは、さらに、外部表面１１の手のひら接触面１１１と対向する面（以下、対向手のひら接触面１１１ｆという）と、屈曲面１１２と対向する他の屈曲面（以下、対向屈曲面１１２ｆという）とを備え、外部表面１１は対向手のひら接触面１１１ｆと対向屈曲面１１２ｆに接続する。
【００４８】
対向手のひら接触面１１１ｆが指先接触面１１３に向けて凸状に膨らんで屈曲面１１２に接続していると、指先が凸状部に引っ掛けることができ、外部表面１１握持が安定して好ましい。
【００４９】
外殻Ｓは、さらに、外部表面１１の両側部と対向手のひら接触面１１１ｆの両側部を接続する、対向する側面（以下、対向側面１１４ｆという）を備え、対向側面１１４ｆは、屈曲面１１２足部及び対向屈曲面１１２ｆ足部と接続している。
【００５０】
２つの対向側面１１４ｆは、２つの対向する孔Ｈ（以下、嵌合孔Ｈという）を有する。
【００５１】
外殻Ｓは、２つの嵌合孔Ｈの間の空間によって嵌合スペース１２を構成する。即ち、携帯用グリップは、外部表面の裏側に嵌合スペースを備える。
【００５２】
外殻Ｓは、屈曲面１１２から対向側面１１４ｆを経由して対向屈曲面１１２ｆに沿って切断された分割部Ｃを有する。手のひら接触面１１１を含む外殻（以下、外殻パーツＳ１という）と対向手のひら１１１ｆを含む外殻（以下、外殻パーツＳ２という）の２つの外殻部材から構成される。
【００５３】
外殻パーツＳ１と外殻パーツＳ２は、屈曲面１１２の分割部Ｃに備わるヒンジ１１２ｈで結合している。
携帯用グリップ４は、ヒンジ１１２ｈで結合された状態で、対向屈曲面１１２ｆの分割部分で、外殻パーツＳ１及びＳ２を自在に開閉することができる。
なお、外殻パーツＳ１及びＳ２を閉じている間は、電車の振動等で容易に開くことがないように、対向屈曲面上に、外殻パーツＳ１及びＳ２を係止する機構を有することが好ましい。
【００５４】
非開放型嵌合スペース１２は、外殻パーツＳ１及びＳ２を閉じているときに形成される、嵌合孔Ｈを含む外殻の内部の空間で形成される。
【００５５】
対象グリップの把持部がリングである場合、外殻パーツＳ１及びＳ２を開き、開き口からリングを嵌合Ｈの開き口位置まで挿入し、外殻パーツＳ１及びＳ２を閉じると、通常、素手で握持されるリングの下側（対象グリップの把持部）は外殻内に収まり、リングの上側は嵌合から露出しており、例えば、つり革で車体と結合されている。
【００５６】
上記のように、対象グリップの把持部は、外殻パーツＳ１及びＳ２が閉じたときに形成される嵌合孔Ｈと外殻の内部空間に嵌合され、外殻パーツＳ１及びＳ２が閉じている間は、対象グリップの把持部の嵌合を解除することができない。
【００５７】
このように対象グリップの把持部の嵌合が、嵌合スペースの構成を解体しなければ解除できない嵌合スペースを非開放型嵌合スペース１２といい、嵌合Ｈと外殻の内部空間で構成される嵌合スペースは非開放型嵌合スペース１２の好適な一例である。
【００５８】
非開放型嵌合スペース１２が対象グリップの把持部をより安定に嵌合する観点から、外殻の内部にある対象グリップの把持部の足部を支持するように、外殻パーツＳ１及び／又はＳ２の内壁面にリブを設けることが好ましい。
【００５９】
（Ｃ）複合型携帯用グリップ
（Ｃ−１）開放型嵌合スペースの場合（その１）
１個の携帯用グリップが、異なる形態の対象グリップの把持部に嵌合することができることが好ましく、
対象グリップの把持部が、把持部ａと、把持部ａと形態の異なる把持部ｂとを有し、
嵌合スペースが、嵌合スペースの底部１２ｂを含む嵌合スペースＡと、嵌合スペースＡに連通する嵌合スペースＢとを有し、
嵌合スペースＡは、把持部ａを着脱自在に嵌合するが、把持部ｂを嵌合せず、
嵌合スペースＢは、把持部ｂを着脱自在に嵌合するが、把持部ａを嵌合しないように構成されていることが好ましい。
【００６０】
例えば、図１に示される円形のリングを把持部ａとして有する対象グリップと、図４に示される三角形のリングを把持部ｂとして有する対象グリップとがあり、
把持部ａを構成するリングの円の断面の直径がｒ１、
把持部ｂを構成するリングの逆三角形の断面の最長底辺（通常指で握持される部分）の長さがｒ２であり、ｒ２＞ｒ１であるとする。
【００６１】
例えば、図１〜６において、距離ｘを、
把持部ａに合わせて、ｘ＝ｒ１とした嵌合スペース１２は、嵌合スペース１２の挿入口を把持部ｂが通過できず、
把持部ｂに合わせて、ｘ＝ｒ２とした嵌合スペース１２は、把持部ａに、嵌合スペース１２を嵌合したときに遊嵌状態になってしまい、嵌合スペース１２と把持部ａの表面とを安定して接触させることが難しい。
【００６２】
このような場合、距離ｘが、図５のように、
嵌合スペースの底部１２ｂから指先接触面１１２裏面側の端部に向けて、
把持部ａの断面直径程度の距離までを構成する嵌合スペースＡ（１２Ａ）ではｒ１であり、把持部ａの断面直径程度の距離から指先接触面１１２裏面側の端部まで構成する嵌合スペースＢ（１２Ｂ）ではｒ２となるように設定する。この場合、
嵌合スペースＡ（１２Ａ）は、その底部とｘ＝ｒ１の内壁表面ＳＡとで形成される嵌合スペースであり、
嵌合スペースＢ（１２Ｂ）は、ｘ＝ｒ２の内壁表面ＳＢが形成するスペースが嵌合スペースであり、
嵌合スペースＡ及びＢは連通している。
【００６３】
嵌合スペースＡ（１２Ａ）の内壁表面ＳＡと嵌合スペースＢ（１２Ｂ）の内壁表面ＳＢとは、接続面で階段状に接続していてもよく、テーバー状に接続していてもよい。
【００６４】
嵌合スペースが、嵌合スペースＡ（１２Ａ）及びＢ（１２Ｂ）からなる場合、携帯用グリップの嵌合スペースＡ（１２Ａ）及びＢ（１２Ｂ）を対象グリップの把持部に嵌合すると、
把持部ａは、嵌合スペースＡ（１２Ａ）において、その底部近傍に把持部ａの表面が接触して着脱自在に嵌合されるが、嵌合スペースＢ（１２Ｂ）に嵌合されることはない。
把持部ｂは、嵌合スペースＡ（１２Ａ）に侵入できず、嵌合スペースＢ（１２Ｂ）において、嵌合スペースＡ（１２Ａ）と嵌合スペースＢ（１２Ｂ）の接続箇所近傍に接触して嵌合される。
【００６５】
（Ｃ−２）開放型嵌合スペースの場合（その２）
携帯用グリップの嵌合スペースは、携帯用グリップの異なる複数個所（好ましくは２か所）に備えてあってよく、それぞれの嵌合スペースが、対象グリップの異なる形態の把持部に嵌合できるように構成されていると、１個の携帯用グリップで複数の対象グリップの把持部に対応することができる。
【００６６】
例えば、図６（ａ）〜（ｆ）に示すように、手のひら接触面１１１の両端に、屈曲面１１２及び指先接触面１１３が構成され、一方の端部には、図１の形態の開放型嵌合スペースＡ（１２Ａ）、他の端部には、図４の形態の開放型嵌合スペースＢが設けてある。
【００６７】
非開放型嵌合スペースＡ（１２Ａ）は、円形のリングである把持部ａを嵌合することができるが、三角形のリングである把持部ｂを嵌合することができず、非開放型嵌合スペースＢは、三角形のリングである把持部ｂを嵌合することができるが、円形のリングである把持部ａを嵌合することができない。
【００６８】
（Ｃ−３）開放型嵌合スペースの場合（その３）
３種類の異なる形状の対象グリップに１個で対応できる携帯用グリップ６を図９に示す。
【００６９】
（Ｃ−３−１）対象グリップＡ（図９（ａ）対象グリップ６の例である）
リングの中空部分が円、把持部の断面が直径ｒＡの円形である。
（Ｃ−３−２）対象グリップＢ（図９（ｂ）対象グリップ７の例である）
リングの中空部分が正三角形、把持部の断面が直径ｒＢの円形である。
（Ｃ−３−４）対象グリップＣ（図９（ｂ）対象グリップ７の例である）
リングの中空部分が（２辺が底辺より長い）二等辺三角形、把持部の断面が直径ｒＣの円形であり、
ｒＡ＜ｒＢ＜ｒＣ
である。
【００７０】
嵌合スペース１２は、
屈曲面１１２の背面に設けられている底部１２ｂＡと底部１２ｂＡに接続する距離ｘＡで対面する内壁で構成される対象グリップＡのための第１の嵌合スペース、
第１の嵌合スペースの対面する内壁と、テーバー状の第１の段差を経由して接続する距離ｘＢで対面する内壁で構成される対象グリップＢのための第２の嵌合スペース、
第２の嵌合スペースの対面する内壁と、テーバー状の第２の段差を経由して接続する距離ｘＣで対面する内壁で構成される対象グリップＣのための第３の嵌合スペースからなり、
底部１２ｂＡは好ましくは対象グリップＡの把持部の断面直径と同程度の曲率お凹曲面を形成して距離ｘＡで対面する内壁と接続し、
第１の段差は対象グリップＢのための嵌合スペースの底部１２ｂＢを構成し、好ましくは対象グリップＢの把持部の断面直径と同程度の曲率の凹曲面を構成し、
第１の段差は対象グリップＣのための嵌合スペースの底部１２ｂＣを構成し、好ましくは対象グリップＢの把持部の断面直径と同程度の曲率の凹曲面を構成し、
ｒＡ＜ｘＡ＜ｒＢ＜ｘＢ＜ｒＣ＜ｘＣ
である。
【００７１】
第１の段差と第２の段差は、図９ではテーバー状の段差であるが、テーバーを有しない階段状の段差でもよい。
【００７２】
対象グリップ６は、上記構造の下で、
対象グリップＡの把持部は嵌合スペース１２の底部１２ｂＡに接して嵌合し、他の底部１２ｂＢ及び１２ｂＣには嵌合せず、
対象グリップＢの把持部は嵌合スペース１２の底部１２ｂＢに接して嵌合し、他の底部１２Ａｂ及び１２Ｃｂには嵌合せず、
対象グリップＣの把持部は嵌合スペース１２の底部１２ｂＣにして嵌合し、他の底部１２ｂＡ及び１２ｂＢには嵌合しない。
【００７３】
同様にして、把持部の断面系形状が対象グリップＡ〜Ｃと異なる対象グリップＤに対して、対象グリップＤの把持部は接触するが、他の対象グリップＡ〜Ｃの把持部は接触し内容は嵌合スペース１２の底部を設けておけば、４種類の異なる形状の対象グリップに１個で対応できる携帯用グリップをえることができる。
【００７４】
（Ｃ−４）非開放型嵌合スペースの場合
図７において、対向側面１１４ｆに構成されている１対の嵌合孔Ｈ１の下方に、もう１対の嵌合孔Ｈ２を設けて、図８に示す、非開放型慣嵌合スペースを備える複合型携帯用グリップ５を構成することができる。
嵌合孔Ｈ１の間の空間が非開放型嵌合スペースＡ（１２Ａ）を構成し、嵌合孔Ｈ２の間の空間が非開放型嵌合スペースＢ（１２Ｂ）を構成し、非開放型嵌合スペースＡ（１２Ａ）及びＢ（１２Ｂ）は連通する。
【００７５】
嵌合孔Ｈ１の形状は、円形のリングである把持部ａを嵌合するために、楕円形であるのに対して、嵌合孔Ｈ２の形状は、三角のリングである把持部ａを嵌合するために、逆三角形である。従って、非開放型嵌合スペースＡ（１２Ａ）は、円形のリングである把持部ａを嵌合することができるが、三角形のリングである把持部ｂを嵌合することができず、非開放型嵌合スペースＢ（１２Ｂ）は、三角形のリングである把持部ｂを嵌合することができるが、円形のリングである把持部ａを嵌合することができない。
【００７６】
〔携帯用グリップの材質〕
携帯用グリップの材質は、対象グリップの把持部と嵌合を安定に着脱する操作と、嵌合後の携帯用グリップを介して対象グリップを安定に操作する観点から、適度な強度と硬さを備えればよく、布、ゴム、プラスチック、金属、ガラス、セラミックス等から目的に応じて選択すればよいが、適度な強度と硬さを設計でき、軽量で着色等の加工が容易であることからプラスチックであることが好ましい。
【００７７】
プラスチックとしては、上述の観点から、
ポリエチレン（ＰＥ）、ポリプロピレン（ＰＰ）、ポリスチレン（ＰＳ）、ポリ塩化ビニル（ＰＶＣ）、ポリ塩化ビニリデン（ＰＶＤＣ）、ポリアミド（ＰＡ）、ポリエチレンテレフタレート（ＰＥＴ）、非結晶ポリエチレンテレフタレート（Ａ−ＰＥＴ）、ポリ乳酸（ＰＬＡ）等の熱可塑性樹脂が好ましく、ポリエチレン（ＰＥ）、ポリプロピレン（ＰＰ）、ポリエチレンテレフタレート（ＰＥＴ）、がより好ましく、ポリプロピレン（ＰＰ）が更に好ましい。ＰＰは屈曲性に優れるので、ヒンジ部分も一体で形成できる。
【００７８】
プラスチックとしては、
嵌合スペースの底部等の嵌合スペースの内部表面が対象グリップの把持部と接触したときの摩擦が大きく、滑りにくい、言い換えれば、対象グリップの把持部が、嵌合スペースに安定して嵌合されるという観点から、天然ゴム、熱硬化性エラストマー及び熱可塑性エラストマーからなる群から選ばれる少なくとも１種のエラストマーが好ましく、
更に嵌合スペースの内部表面の耐久性及び射出成型性の観点から、熱可塑性エラストマーがより好ましく、スチレン系、オレフィン系、塩ビ系、ウレタン系及びアミド系からなる群から選ばれる少なくとも１種の熱可塑性エラストマーが更に好ましい。
【００７９】
衛生性を維持する観点から、少なくとも携帯用グリップの嵌合スペース及び／又は外部表面は抗菌加工しておくことが好ましい。抗菌加工は、
抗菌剤をスプレー等で嵌合スペース及び／又は外部表面に塗工する；
嵌合スペース及び／又は外部表面を化学的に改質する；
嵌合スペース及び／又は外部表面を構成する材料に抗菌剤を練り込む；
嵌合スペース及び／又は外部表面を、抗菌剤を含むハードコートで被覆する；等によってなすことができる。
【００８０】
抗菌剤は、銀系抗菌剤、有機系抗菌剤、無機系抗菌剤が知られているが、効果と加工性の観点から銀系抗菌剤が好ましい。
【００８１】
携帯用グリップを所持しているときのファッション性や快適性の観点から、少なくとも携帯用グリップの外部表面は、着色（好ましくはカラフルに着色）されたり、キャラクター、景色、花、動植物、建造物等の柄を付されたり、各種の写真が印刷されたりしていることが好ましい。
【００８２】
携帯用グリップ嵌合スペースは、携帯用グリップが、対象グリップの把持部に滑らずに嵌合する観点から、アンチスリップ加工が施されていることが好ましい。
アンチスリップ加工としては、嵌合スペース及び／又は外部表面を物理的又は化学的処理を施して微細な凹凸を形成させたり、アンチスリップ剤を塗工したり、アンチスリップ塗膜を形成させたりすることが挙げられる。
【００８３】
携帯用グリップは、携帯用グリップを使用する一時を快適に過ごす観点から、外部表面又は嵌合スペース以外に、小型ディスプレイ、音楽プレーヤー、ラジオ、ネット、ＧＰＳ等を備えてよいが、携帯性の観点から、実質的に、外部表面又は嵌合スペースからなることが好ましい。 
【符号の説明】
【００８４】
１        携帯用グリップ（開放型嵌合スペース）
１１      外部表面
１１１    手のひら接触面
１１２    屈曲面
１１２ｈ  ホールド部
１１３    指先接触面
１２      嵌合スペース
１２ｂ    嵌合スペースの底部
１２Ａ    嵌合スペースＡ
１２Ｂ    嵌合スペースＢ
２        携帯用グリップ（複合型携帯用グリップ／開放型嵌合スペース）
２４      ホールド部
３        携帯用グリップ（開放型嵌合スペース）
４        携帯用グリップ（非開放型嵌合スペース）
５        携帯用グリップ（複合型携帯用グリップ／非開放型嵌合スペース）
ｘ        開放型嵌合スペースの間隙の距離
１１１ｆ  対向手のひら接触面
１１２ｆ  対向屈曲面
１１４ｆ  対向側面
Ｃ        分割部
Ｓ１      外装パーツＳ１
Ｓ２      外装パーツＳ２
６        把持部ａが円形のリングである対象グリップ
７        把持部ｂが三角形のリングである対象グリップ
ａ        把持部
ｂ        把持部
８        連結用ベルト
９        携帯用グリップ（複合型携帯用グリップ／開放型嵌合スペース）
１２ｂＡ  対象グリップＡの把持部が接触する嵌合スペースの底部
１２ｂＢ  対象グリップＢの把持部が接触する嵌合スペースの底部
１２ｂＢ  対象グリップＣの把持部が接触する嵌合スペースの底部
ｘＡ      第１の嵌合スペースの対向する内壁の距離
ｘＢ      第２の嵌合スペースの対向する内壁の距離
ｘＣ      第３の嵌合スペースの対向する内壁の距離
【図１】
2016060074.tif 000003
【図２】
2016060074.tif 000004
【図３】
2016060074.tif 000005
【図４】
2016060074.tif 000006
【図５】
2016060074.tif 000007
【図６】
2016060074.tif 000008
【図７】
2016060074.tif 000009
【図８】
2016060074.tif 000010
【図９】
2016060074.tif 000011
【図１０】
2016060074.tif 000012
【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
表面に沿って手のひらと指が接触して握持できる外部表面を有し、前記外部表面の内側に嵌合スペースを有し、
前記嵌合スペースが、対象グリップの把持部を嵌合している場合に外部に開放されている開放型嵌合スペースである場合、
屈曲して対向する前記開放型嵌合スペースの間隙の距離が対象グリップの把持部の断面の最大径と同程度であり、
前記嵌合スペースが、前記対象グリップの把持部を着脱自在に嵌合する携帯用グリップ。
【請求項２】
表面に沿って手のひらと指が接触して握持できる外部表面を有し、前記外部表面の内側に嵌合スペースを有し、 前記嵌合スペースが、前記対象グリップの把持部を着脱自在に嵌合し、  前記対象グリップの把持部が、把持部ａと、前記把持部ａと形態の異なる把持部ｂとを有し、  前記嵌合スペースが、前記嵌合スペースの底部を含む嵌合スペースＡと、前記嵌合スペースＡに連通する嵌合スペースＢとを有し、  前記嵌合スペースＡは、前記把持部ａを着脱自在に嵌合するが、前記把持部ｂを嵌合せず、  前記嵌合スペースＢは、前記把持部ｂを着脱自在に嵌合するが、前記把持部ａを嵌合しないように構成されている携帯用グリップ。
【請求項３】
前記外部表面の形状が馬の鞍型である請求項１又は２記載の携帯用グリップ。
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
表面に沿って手のひらと指が接触して握持できる外部表面を有し、前記外部表面の内側に嵌合スペースを有し、
前記嵌合スペースが、対象グリップの把持部を嵌合している場合に外部に開放されている開放型嵌合スペースである場合、
屈曲して対向する前記開放型嵌合スペースの間隙の距離が対象グリップの把持部の断面の最大径と同程度であり、
前記嵌合スペースが、前記対象グリップの把持部を着脱自在に嵌合し、
前記外部表面に連結され、指の一部と係合する指係合部とを備えた形態が除かれる携帯用グリップ。
【請求項２】
表面に沿って手のひらと指が接触して握持できる外部表面を有し、前記外部表面の内側に嵌合スペースを有し、  前記嵌合スペースが、前記対象グリップの把持部を着脱自在に嵌合し、  前記対象グリップの把持部が、把持部ａと、前記把持部ａと形態の異なる把持部ｂとを有し、  前記嵌合スペースが、前記嵌合スペースの底部を含む嵌合スペースＡと、前記嵌合スペースＡに連通する嵌合スペースＢとを有し、  前記嵌合スペースＡは、前記把持部ａを着脱自在に嵌合するが、前記把持部ｂを嵌合せず、  前記嵌合スペースＢは、前記把持部ｂを着脱自在に嵌合するが、前記把持部ａを嵌合しないように構成されている携帯用グリップ。
【請求項３】
前記外部表面の形状が馬の鞍型である請求項１又は２記載の携帯用グリップ。
【手続補正２】
【補正対象書類名】明細書
【補正対象項目名】００１０
【補正方法】変更
【補正の内容】
【００１０】
【図１】開放型嵌合スペースを備える携帯用グリップ１を示し、（ａ）は指先接触面側斜視図、（ｂ）は手のひら接触面側斜視図である。
【図２】開放型嵌合スペースを備える複合型携帯用グリップ２を示し、（ａ）は指先接触面側斜視図、（ｂ）は手のひら接触面側斜視図である。
【図３】開放型嵌合スペースとホールド部を備える携帯用グリップ３を示し、（ａ）は指先接触面側斜視図、（ｂ）は手のひら接触面側斜視図である。
【図４】図１の携帯用グリップ１の、（ａ）正面図、（ｂ）背面図、（ｃ）平面図、（ｄ）底面図、（ｅ）左側面図及び（ｆ）右側面図である。
【図５】開放型嵌合スペースを備える複合型携帯用グリップの右側面図である。
【図６】図２の携帯用グリップ２の、（ａ）正面図、（ｂ）背面図、（ｃ）平面図、（ｄ）底面図、（ｅ）左側面図及び（ｆ）右側面図である。
【図７】非開放型嵌合スペースを備える携帯用グリップ４の、（ａ）正面図、（ｂ）背面図、（ｃ）平面図、（ｄ）底面図、（ｅ）左側面図、（ｆ）右側面図及び（ｇ）外殻パーツＳ１及びＳ２が開いている場合の右側面図である。
【図８】非開放型嵌合スペースを備える携帯用グリップ５の、（ｆ）右側面図及び（ｇ）外殻パーツＳ１及びＳ２が開いている場合の右側面図である。
【図９】携帯用グリップ６の（ａ）正面図及び（ｅ）左側面図である。
【図１０】（ａ）は図１の携帯用グリップ１の嵌合スペースが、円形のリングである対象グリップの把持部ａを嵌合している状態の斜視図、と、（ｂ）は図２の携帯用グリップ２の嵌合スペースが、三角形のリングである対象グリップの把持部ｂを嵌合している状態の斜視図である。
【手続補正３】
【補正対象書類名】明細書
【補正対象項目名】００１１
【補正方法】変更
【補正の内容】
【００１１】
以下、発明を実施するための形態を、図１〜図１０を適宜参照して説明する。
〔対象グリップ〕
本発明における対象グリップ６、７の把持部（図１０）は、複数の、好ましくは不特定の複数の、より好ましくは不特定多数の人が素手で握ることが想定されており、例えば、以下が挙げられる。
（例１）電車、バス、船等の乗客輸送体に備えられる吊り輪又は棒状のバー；
（例２）営業用またはレンタル用乗用車のハンドル；
（例３）営業用またはレンタル用バッグ等のレンタル用ケースの把持部；
（例４）エスカレーター用手摺ベルト。
【手続補正４】
【補正対象書類名】明細書
【補正対象項目名】００１９
【補正方法】変更
【補正の内容】
【００１９】
携帯用グリップの好適な態様を、図１〜図１０に示される実施態様を例にして説明する。
携帯用グリップ１は、携帯性の観点から、携帯用グリップ１全体が、一辺の長さがそれぞれＬ、Ｗ、Ｄの直方体領域ＬＷＤに内包される程度の大きさであることが好ましく、この場合、
Ｌが３〜１２ｃｍ、Ｗが２〜１１ｃｍ、Ｄが０．５〜５ｃｍであることが好ましく、
Ｌが５〜１０ｃｍ、Ｗが３〜９ｃｍ、Ｄが１〜４ｃｍであることがより好ましく、
Ｌが６〜８ｃｍ、Ｗが５〜７ｃｍ、Ｄが１〜３ｃｍであることが更に好ましい。
【手続補正５】
【補正対象書類名】明細書
【補正対象項目名】００３０
【補正方法】変更
【補正の内容】
【００３０】
ホールド部１１２ｈを備えていると、携帯用グリップの嵌合把持部を手のひらと指で握持したときに、外部表面１１と手のひらの接触面積が大きくなるため、手のひらと指による把持が安定し、携帯用グリップを安定して操作でき、手のひらと指の握持負担を軽減することができる。
【手続補正６】
【補正対象書類名】明細書
【補正対象項目名】００３４
【補正方法】変更
【補正の内容】
【００３４】
（Ｂ−１）開放型嵌合スペース
図１〜３の携帯用グリップ１〜３に示すように、携帯用グリップ１は、プレートが屈曲した形状であり外部に向いたプレート面が外部表面１１を形成し、内部に向いたプレート面が開放型嵌合スペース１２を形成している。
【手続補正７】
【補正対象書類名】明細書
【補正対象項目名】００３７
【補正方法】変更
【補正の内容】
【００３７】
開放型嵌合スペース１２の対象グリップの把持部を挿入する空間は、開放型嵌合スペース１２が対象グリップの把持部を嵌合している場合でも、外部に開放されており、携帯用グリップを対象グリップの把持部に対して上下するだけで、嵌合の着脱を行うことができる。
【手続補正８】
【補正対象書類名】明細書
【補正対象項目名】００６７
【補正方法】変更
【補正の内容】
【００６７】
開放型嵌合スペースＡ（１２Ａ）は、円形のリングである把持部ａを嵌合することができるが、三角形のリングである把持部ｂを嵌合することができず、開放型嵌合スペースＢは、三角形のリングである把持部ｂを嵌合することができるが、円形のリングである把持部ａを嵌合することができない。
【手続補正９】
【補正対象書類名】明細書
【補正対象項目名】００７５
【補正方法】変更
【補正の内容】
【００７５】
嵌合孔Ｈ１の形状は、円形のリングである把持部ａを嵌合するために、楕円形であるのに対して、嵌合孔Ｈ２の形状は、三角のリングである把持部ｂを嵌合するために、逆三角形である。従って、非開放型嵌合スペースＡ（１２Ａ）は、円形のリングである把持部ａを嵌合することができるが、三角形のリングである把持部ｂを嵌合することができず、非開放型嵌合スペースＢ（１２Ｂ）は、三角形のリングである把持部ｂを嵌合することができるが、円形のリングである把持部ａを嵌合することができない。
【国際調査報告】
2016060074.tif 000013
2016060074.tif 000014